(57)【特許請求の範囲】
【請求項１】
送風ファンとモータとを備えて成る送風機を支持するスライドパイプと、
ガイドレールが設けられ該ガイドレールを介して前記スライドパイプを上下スライド可能に支持するスタンドと、
前記モータから前記スライドパイプを通して前記スタンド内に設置された操作回路へ配線されるリード線と、
前記スライドパイプの下端に取付けられる取付部と該取付部の下方へ延びるとともに前記ガイドレールと係合するガイド部とを有するスライダと、
を備え、
前記スライダは、外周部に前記ガイド部が設けられ、前記スライドパイプを最も縮めた状態で、前記リード線のコイル巻部を収容する下筒部を有することを特徴とする扇風機。
【請求項２】
前記スライダの下筒部の下端部内側に面取り部を形成したことを特徴とする請求項１に記載の扇風機。
【発明の詳細な説明】
【技術分野】
【０００１】
本発明は、送風ファンとモータとから成る送風機の高さ調節を行なうことができる扇風機に関するものである。
【背景技術】
【０００２】
従来、電動機を有する送風体を支持する支持パイプと、この支持パイプを上下昇降可能に支持する支柱部と、この支柱部を立設状態に支持する基台部とを有し、前記支柱部の内部と係合する弾性部を形成した係止体を、前記支持パイプの下端に具備した扇風機がある。前記支柱部の内部と係合する係止体の弾性部は、前記支持パイプの下端にねじ止めされる係止体の底面部の上方に設けられている（例えば、特許文献１参照）。
【０００３】
上記のような扇風機においては、図９に示すように、上記支持パイプ（スライドパイプ）１０２を縮めたときに、電動機と操作回路１０４（図１０参照）を接続するリード線１０５（図１０参照）を収容するための、上記係止体（スライダ）１０１の上記底面部（取付部）１０１ｂと底板１０６との間のスペースＡが必要である。また、図１０に示すように、支持パイプ１０２を伸ばしたときには、送風体（送風機）をがたつかせずに安定して支持するための、上記係止体の底面部１０１ｂからキャップ１０３ｂまでのオーバーラップ長Ｂが必要となる。
【０００４】
【特許文献１】特開平１１−１４８４８８号公報（第３頁、図１〜図５）
【発明の開示】
【発明が解決しようとする課題】
【０００５】
特許文献１に記載され、図９及び図１０に示された従来の技術によれば、係止体（スライダ）１０１は、支柱部（スタンド）１０３の内部（ガイドレール）１０３ａと係合する弾性部（ガイド部）１０１ａが、支持パイプ１０２の下端にねじ止めされる係止体１０１の底面部１０１ｂの上方に設けられている。
【０００６】
また、図９に示すように、支持パイプ１０２を縮めたときに、電動機と操作回路１０４を接続するリード線１０５を収容するための、係止体１０１の底面部１０１ｂと底板１０６との間のスペースＡが確保されている。
【０００７】
さらに、図１０に示すように、支持パイプ１０２を伸ばしたときに、送風体をがたつかせずに安定して支持するための、係止体１０１の底面部１０１ｂからキャップ１０３ｂまでのオーバーラップ長Ｂを確保すると、支持パイプ１０２の送風機保持部１０２ａの高さＨは、支柱部１０３の高さをＬ１、支持パイプ１０２の長さＬ２とすると、Ｈ＝Ｌ１＋Ｌ２−Ｂとなる。
【０００８】
従来の技術において、送風機保持部１０２ａの高さＨをより高いものにするには、支柱部１０３の高さＬ１又は支持パイプ１０２の長さＬ２を長くするか、オーバーラップ長Ｂを短くする必要があるが、Ｌ１又はＬ２を長くした場合は、支持パイプ１０２を縮めたときの送風機保持部１０２ａの高さが高くなってしまう、という問題があった。
【０００９】
また、オーバーラップ長Ｂを短くした場合は、短いオーバーラップ長で送風体をがたつかせずに安定して支持するために、支柱部１０３の内部（ガイドレール）１０３ａと弾性部（ガイド部）１０１ａとを精密に嵌合させる必要があり、コストが高くなり、生産性が低くなる、という問題があった。
【００１０】
本発明は、上記に鑑みてなされたものであって、スライドパイプを伸ばしたときの送風機保持部の高さが高く、スライドパイプを縮めたときの送風機保持部の高さが低く、生産性の高い扇風機を得ることを目的とする。
【課題を解決するための手段】
【００１１】
上述した課題を解決し、目的を達成するために、本発明は、送風ファンとモータとを備えて成る送風機を支持するスライドパイプと、ガイドレールが設けられ該ガイドレールを介して前記スライドパイプを上下スライド可能に支持するスタンドと、前記モータから前記スライドパイプを通して前記スタンド内に設置された操作回路へ配線されるリード線と、前記スライドパイプの下端に取付けられる取付部と該取付部の下方へ延びるとともに前記ガイドレールと係合するガイド部とを有するスライダと、を備え、前記スライダは、外周部に前記ガイド部が設けられ、前記スライドパイプを最も縮めた状態で、前記リード線のコイル巻部を収容する下筒部を有することを特徴とする。
【発明の効果】
【００１２】
この発明によれば、スライドパイプを伸ばしたときの送風機保持部の高さが高く、スライドパイプを縮めたときの送風機保持部の高さが低く、生産性の高い扇風機が得られる、という効果を奏する。また、リード線の噛み込みや損傷が発生しないように動作する扇風機が得られる、という効果を奏する。
【発明を実施するための最良の形態】
【００１３】
以下に、本発明にかかる扇風機の実施の形態を図面に基づいて詳細に説明する。なお、この実施の形態によりこの発明が限定されるものではない。
【００１４】
実施の形態１．
図１は、本発明の扇風機の実施の形態１を示すスライドパイプを縮めた状態の縦断面図であり、図２は、図１のＢ部拡大図であり、図３は、実施の形態１の扇風機のスタンドの底板を外した状態の下面図であり、図４は、実施の形態１の扇風機のスライドパイプを伸ばした状態の縦断面図であり、図９は、比較例として示す、従来の扇風機のスライドパイプを縮めた状態の部分縦断面図であり、図１０は、比較例として示す、従来の扇風機のスライドパイプを伸ばした状態の縦断面図である。
【００１５】
図１〜図４に示すように、実施の形態の扇風機１０は、送風ファンとモータとを備える送風機（図示せず）を支持するスライドパイプ２と、ガイドレール３ａが設けられガイドレール３ａを介してスライドパイプ２を上下スライド可能に支持するスタンド３と、前記モータからスライドパイプ２を通してスタンド３内に設置された操作回路４へ配線されるリード線５と、スライドパイプ２の下端に取付けられる取付部１ｂと取付部１ｂの下方へ延びるとともにガイドレール３ａと係合するガイド部１ａとを有するスライダ１と、を備えている。
【００１６】
スタンド３は、中空平盤状の脚部３ｃと、脚部３ｃから立上がる支柱部３ｄと、支柱部３ｄ内に形成された内筒部３ｅと、内筒部３ｅ内に互いに９０°離間して内筒部３ｅの全長に亘って設けられ、スライダ１の上下スライドをガイドするガイドレール３ａと、支柱部３ｄの上端を覆いスライドパイプ２の上下スライドをガイドするキャップ３ｂと、を有している。送風機の操作回路４は、脚部３ｃ内に設置されている。
【００１７】
スライドパイプ２は、上端部に送風機保持部２ａを有し、下端部がスライダ１の上筒部１ｃに挿入されて取付部１ｂに当接し、ねじ２ｂによりスライダ１が取付けられている。
【００１８】
スライダ１は、スライドパイプ２の下端部が挿入される上筒部１ｃと、上筒部１ｃの下端に設けられた板状の取付部１ｂと、互いに９０°離間して取付部１ｂから下方に延び、スタンド３のガイドレール３ａに係合する４本の溝状のガイド部１ａと、を有している。
【００１９】
図１に示すように、スライドパイプ２を最も縮めた状態で、送風機からスライドパイプ２内を通して操作回路４へ接続されるリード線５のコイル巻部は、スライダ１の取付部１ｂの下方のスペースＡ内に無理なく収容される。
【００２０】
図２に示すように、スライドパイプ２を最も縮めた状態において、スライダ１のガイド部１ａの下端の位置は、図９に示す従来のスライダ１０１のガイド部１０１ａの下端の位置より、高さＸだけ低い位置となる。ガイド部１ａ（ガイド部１０１ａ）が、スタンド３の支柱部３ｄのレール３ａ（レール１０３ａ）に係合することにより、スタンド３（スタンド１０３）とスライドパイプ２（スライドパイプ１０２）との間のがたつきを防止している。
【００２１】
図４に示すように、スライドパイプ２を最も伸ばした状態において、実施の形態１の扇風機１０は、図１０に示す従来の扇風機１１０と同様に、スライドパイプ２をがたつき無く安定して保持するための、スライダ１のガイド部１ａ下端からキャップ３ｂ上端までのオーバーラップ長Ｂを確保している。
【００２２】
しかしながら、実施の形態１の扇風機１０は、スライダ１のガイド部１ａの下端が、従来の扇風機１１０のガイド部１０１ａの下端よりも高さＸだけ低い位置にあるので、従来と同じオーバーラップ長Ｂを確保した場合でも、従来の扇風機１１０より高さＸだけ長いスライド量を得ることができ、送風機の高さＨは、Ｈ＝Ｌ１＋Ｌ２−（Ｂ−Ｘ）となり、高さＸだけ高くすることができる。
【００２３】
以上説明したように、実施の形態１の扇風機１０によれば、スライドパイプ２を最も縮めた状態において、従来の扇風機１１０と同様のリード線５の収容スペースＡを確保することができ、スライドパイプ２を最も伸ばした状態において、ガイド部１ａ及びガイドレール３ａを精密加工しなくても、送風機の高さＨを高さＸだけ高くすることができる。
【００２４】
実施の形態２．
図５は、本発明の扇風機の実施の形態２を示すスライドパイプを縮めた状態の部分縦断面図であり、図６は、実施の形態２の扇風機のスタンドの底板を外した状態の下面図であり、図７は、実施の形態２のスライダの縦断面図であり、図８は、実施の形態２のスライダの下面図である。
【００２５】
図５〜図８に示すように、実施の形態２のスライダ２１のガイド部２１ａは、取付部２１ｂの下方へ延びる下筒部２１ｄの外周部に設けられている。それ故、実施の形態２のスライダ２１のガイド部２１ａは、実施の形態１のガイド部１ａよりも強度が高くなっている。また、図７及び図８に示すように、下筒部２１ｄの下端部内側には、面取り部２１ｅが形成されている。面取り部２１ｅは、スライドパイプ２及びスライダ１が下降するときに、リード線５が下筒部２１ｄ内に入るようにガイドし、リード線５の噛み込み及び損傷を防止する。
【産業上の利用可能性】
【００２６】
以上のように、本発明にかかる扇風機は、スライドパイプを縮めた状態では背が低く、スライドパイプを伸ばすと、より背が高くなる低コストな扇風機として有用である。
【図面の簡単な説明】
【００２７】
【図１】本発明の扇風機の実施の形態１を示すスライドパイプを縮めた状態の縦断面図である。
【図２】図１のＢ部拡大図である。
【図３】実施の形態１の扇風機のスタンド底板を外した状態の下面図である。
【図４】実施の形態１の扇風機のスライドパイプを伸ばした状態の縦断面図である。
【図５】本発明の扇風機の実施の形態２を示すスライドパイプを縮めた状態の部分縦断面図である。
【図６】実施の形態２の扇風機のスタンドの底板を外した状態の下面図である。
【図７】実施の形態２のスライダの縦断面図である。
【図８】実施の形態２のスライダの下面図である。
【図９】従来の扇風機のスライドパイプを縮めた状態の部分縦断面図である。
【図１０】従来の扇風機のスライドパイプを伸ばした状態の縦断面図である。
【符号の説明】
【００２８】
１，２１，１０１  スライダ
１ａ，２１ａ，１０１ａ  ガイド部
１ｂ，２１ｂ，１０１ｂ  取付部
１ｃ，２１ｃ  上筒部
２，１０２  スライドパイプ
２ａ，１０２ａ  送風機保持部
２ｂ  ねじ
３，１０３  スタンド
３ａ，１０３ａ  ガイドレール
３ｂ，１０３ｂ  キャップ
３ｃ  脚部
３ｄ  支柱部
３ｅ  内筒部
４，１０４  操作回路
５，１０５  リード線
６，１０６  底板
１０，１１０  扇風機
２１ｄ  下筒部
２１ｅ  面取り部
【図１】
0005311879.tif 000002
【図２】
0005311879.tif 000003
【図３】
0005311879.tif 000004
【図４】
0005311879.tif 000005
【図５】
0005311879.tif 000006
【図６】
0005311879.tif 000007
【図７】
0005311879.tif 000008
【図８】
0005311879.tif 000009
【図９】
0005311879.tif 000010
【図１０】
0005311879.tif 000011